(57)【要約】【課題】ベルトコンベヤーシステム（１）として設計されコンベヤーベルト（５）を有し、少なくともその一部がコンベヤーローラ（２）に巻回されるコンベヤーシステム（１）であって、少なくともコンベヤーベルト（５）の巻回角度における半径を有し、これがコンベヤーローラ（２）の軸端部におけるコンベヤーローラ（２）の半径に実質的に等しいか又はこれより僅かに小さい軸受カップ（６）の少なくとも片側にコンベヤーローラ（２）が支持され、コンベヤーベルト（５）がコンベヤーローラ（２）の長さより軸方向に広く、コンベヤーローラ（２）と軸受カップ（６）との間の隙間（７）をコンベヤーベルト（５）によって塞ぐようにコンベヤーベルト（５）がコンベヤーローラ（２）上に配置されることを特徴とするコンベヤーシステム（１）を提供する。【選択図】図１
2010530341.tif 000002
【特許請求の範囲】
【請求項１】
ベルトコンベヤーシステム（１）として設計されコンベヤーベルト（５）を有し、少なくともその一部がコンベヤーローラ（２）に巻回されるコンベヤーシステム（１）であって、少なくともコンベヤーベルト（５）の巻回角度における半径を有し、これがコンベヤーローラ（２）の軸端部におけるコンベヤーローラ（２）の半径に実質的に等しいか又はこれより僅かに小さい軸受カップ（６）の少なくとも片側にコンベヤーローラ（２）が支持され、コンベヤーベルト（５）がコンベヤーローラ（２）の長さより軸方向に広く、コンベヤーローラ（２）と軸受カップ（６）との間の隙間（７）をコンベヤーベルト（５）によって塞ぐようにコンベヤーベルト（５）がコンベヤーローラ（２）上に配置されることを特徴とするコンベヤーシステム（１）。
【請求項２】
巻回角度における軸受カップ（６）が、コンベヤーローラの軸端部におけるコンベヤーローラ（２）の半径より０．３ｍｍ〜２．５ｍｍ小さい半径を有する請求項１に記載のコンベヤーシステム（１）。
【請求項３】
巻回角度における軸受カップ（６）が、例えばＲａ３．２又はＲａ６．３の凹凸高さを有する請求項１〜２のいずれかに記載のコンベヤーシステム（１）。
【請求項４】
コンベヤーローラ（２）が冠形状を有し、コンベヤーローラ（２）のローラ中央部（３）のローラ中央の直径が、ローラ端部（４）におけるコンベヤーローラ（２）のローラ端の直径より１ｍｍ及び２ｍｍ、好ましくは約１．５ｍｍ大きいことを特徴とする請求項１〜３のいずれかに記載のコンベヤーシステム（１）。
【請求項５】
コンベヤーローラを回転可能に支持する少なくとも１つのベアリング（６１）が軸受カップ（６）に収容されることを特徴とする請求項１〜４のいずれかに記載のコンベヤーシステム（１）。
【請求項６】
コンベヤーローラは軸ピン（８１）上に回転可能に支持され、軸ピンは回転及び軸方向変位に抗するようにコンベヤーローラ（２）上に配置されると共に軸受け部（８１３）を有し、概軸受け部はコンベヤーローラ（２）のローラ端部（４）から軸方向に突出しこの部分におけるベアリング直径が転がり軸受けのベアリング内側リング（６２）の直径に相当することを特徴とする請求項５に記載のコンベヤーシステム（１）。
【請求項７】
請求項６に記載のコンベヤーシステム（１）であって、軸ピン（８１）がシャフトハブ組立体（８）によりコンベヤーローラに固定され、概軸ピン（８１）は更に弾性的に変形可能な膨張部材（８３）とハブ（８２）を備え、ハブ（８２）内に配置された軸ピン（８１）がハブ（８２）に対して軸方向に固定されるように、軸ピン（８１）は、対応するハブ（８２）のハブ部の横断面に実質的に相当する横断面の軸部（８１５）を有し、軸ピン（８１）は軸回転係止部（８１４）を有すると共にハブ（８２）はハブ回転係止部を有し、当該軸回転係止部（８１４）とハブ回転係止部は、ハブ（８２）内に配置された軸ピン（８１）が、周方向の回転に抗してハブ（８２）に対して固定されるように構成され、又、膨張部材（８３）は軸ピン（８１）上に配置されると共に外周部（８３１）を有し、膨張部材（８３）が弛緩状態にあるとき、外周部（８３１）がハブ（８２）の対応する内周部の内周直径より大きい外周を有するように形成され、軸ピン（８１）がハブ（８２）内に配置されるとき、膨張部材（８３）は弾性的に変形し膨張部材（８３）の外周部（８３１）が膨張部材（８３）の弛緩位置から軸ピン（８１）の軸方向に変位し、更に膨張部材（８３）の外周部の軸方向変位に伴って膨張部材（８３）の外周部の外周直径が縮小され、膨張部材（８３）の縮小した外周直径は密着するハブ（８２）の内周部の直径に相当することを特徴とするコンベヤーシステム（１）。
【請求項８】
請求項７に記載のコンベヤーシステム（１）であって、膨張部材（８３）と、対応するハブ（８２）の内周部は、膨張部材（８３）と内周部との間の摩擦係数により、及びその軸端に膨張部材（８３）の外周部（８３１）が形成される膨張部材（８３）の変位領域と膨張部材（８３）の内周部との間の変位角（a）により、膨張部材（８３）自身の係止効
果がハブ（８２）内に生成されるように構成されることを特徴とするコンベヤーシステム（１）。
【請求項９】
請求項７〜８のいずれかに記載のコンベヤーシステム（１）であって、膨張部材（８３）がディスク又は閉リングとして構成され、膨張部材（８３）は周方向に相互に間隔をあけた溝（８３２）を備え、溝は外周部（８３１）から内側へ実質的に放射状に延び、外周部（８３１）は複数の指状延伸部（８３３）の端部より形成され、溝（８３２）により周方向にお互い分離されていることを特徴とするコンベヤーシステム（１）。
【請求項１０】
請求項７〜９のいずれかに記載のコンベヤーシステム（１）であって、膨張部材（８３）は軸ピン（８１）上に、好ましくは軸ピン（８１）の軸端（８１１）上に配置され、及び／又はリベット止め、溶接、ネジ止め、又は他の取り付け方法により軸ピン（８１）上に固定されることを特徴とするコンベヤーシステム（１）。
【請求項１１】
請求項７〜１０のいずれかに記載のコンベヤーシステム（１）であって、ハブ（８２）に収容される軸ピン（８１）の軸ピン部（８１２）は実質的に円筒形状を有し、軸ピン部（８１２）の直径と、対応するハブ（８２）の収容部の直径は、Ｈ７−ｇ８又はＨ７−ｐ８嵌めを含む滑り嵌め、軽い圧入、又は圧入により嵌合することを特徴とするコンベヤーシステム（１）。
【請求項１２】
ハブ（８２）の直径は軸ピン（８１）の挿入長さ全体に亘って実質的に同じであることを特徴とする請求項７〜１１のいずれかに記載のコンベヤーシステム（１）。
【請求項１３】
軸ピン（８１）とハブ（８２）との間の回転係止部がインターロック係合部として構成されることを特徴とする請求項７〜１２のいずれかに記載のコンベヤーシステム（１）。
【請求項１４】
膨張部材（８３）が鋼鉄（好ましくは硬化したバネ鋼）からなることを特徴とするコンベヤーシステム（１）。
【請求項１５】
ハブ（８２）がアルミニウム合金からなることを特徴とする請求項７〜１４のいずれかに記載のコンベヤーシステム（１）。
【発明の詳細な説明】
【技術分野】
【０００１】
本発明はコンベヤーシステムに関する。
【背景技術】
【０００２】
ベルトコンベヤー等の流れるコンベヤーは、通常コンベヤーのフレームに回転可能に支持される複数のコンベヤーローラを有する。これらのコンベヤーローラの中にはコンベヤーローラを回転可能に支持するローラの内部に転がり軸受を有するものがある。もしくは、転がり軸受は流れるコンベヤーのフレームに配置され、コンベヤーローラは転がり軸受に支持される軸首のみを有する場合もある。
【０００３】
このようなローラは大量生産されるため、ローラの製造においてほんのわずかな改良がなされるだけで、かなりの規模の節約が期待できる。
【０００４】
更に、直接的又は間接的に（コンベヤーベルトを介して）駆動されるコンベヤーローラにおいて、固定フレームと回転コンベヤーローラとの間の隙間は危険領域となる。
【０００５】
コンベヤーローラを支持することが可能で、危険領域も取り除くことができる技術が、例えばドイツ特許ＤＥ３３０８２６２Ｃ１に開示されている。この文献には、ドラムシェルが軸方向に軸から突出するコンベヤーローラが開示されている。コンベヤーローラは、ドラムシェルに突出するブロック軸受部材を介して軸受形状に支持される。このようにして、固定部と回転部との間の隙間が突出ドラムシェルにより塞がれることになる。図示のコンベヤーローラにおいて、軸は中心穴を有する円形金属板に溶接され、金属板はドラムシェルに溶接されている。
【発明の概要】
【発明が解決しようとする課題】
【０００６】
このようなコンベヤーローラを製造する際には、比較的かなりの労力と費用を要する。
【０００７】
よって、本発明の目的は、コンベヤーローラと隣接固定部との間の危険領域を取り除いてコンベヤーローラを支持するように構成され、又製造コスト効率もよいコンベヤーベルトを有するコンベヤーシステムを提供することにある。
【課題を解決するための手段】
【０００８】
本発明の目的は独立請求項に係る装置により達成される。又、本発明の好ましい実施形態は従属請求項に開示される。
【０００９】
本発明の一態様によれば、ベルトコンベヤーシステムとして構成されたコンベヤーシステムであって、コンベヤーローラに少なくとも部分的に巻回されたコンベヤーベルトを備え、少なくとも一方のコンベヤーローラが、少なくともコンベヤーベルトの巻回方向において、軸端におけるコンベヤーローラの半径に略等しいか又はこの半径より僅かに小さい半径を有する軸受カップに支持され、又コンベヤーベルトがコンベヤーローラの長さより軸方向において広く、更にコンベヤーローラと軸受カップの間の隙間がコンベヤーベルトによって塞がれるようにコンベヤーベルトがコンベヤーローラ上に配置されることを特徴とするコンベヤーシステムが提供される。
【００１０】
巻回角度は、コンベヤーローラ上でコンベヤーベルトの向きを変える度合いにより決められる。コンベヤーローラが、コンベヤーベルトの端部でリターンローラとして使用され
る場合は、巻回角度は１８０°以上に設定される。又、コンベヤーベルト端部間で使用されるコンベヤーローラの場合、巻回角度は横断面の円周上に配置され、又は巻回方向はコンベヤーローラの長手方向に延伸するように配置される。軸受カップはコンベヤーローラをコンベヤーシステムのフレームに組み込むように使用される。ここで、従来のベアリングにおいて、フレームとコンベヤーローラの間に生じると思われる隙間は、コンベヤーローラのローラの中心方向に変位する。驚くことに、コンベヤーカップ又はコンベヤーローラの形状次第で、コンベヤーカップの表面をスライドするように行われるコンベヤーベルトとの間の相対的運動によるコンベヤーベルトの望ましくない磨耗が起きることはないことが明らかになった。これは、特に軸受カップの直径に対してコンベヤーローラのローラ端部における直径が大きいことにより、ベルトの張力が軸受カップの領域においてごく僅かであるという事実により説明がつく。軸受カップの巻回部における半径がローラ端部におけるコンベヤーローラの半径に略等しい場合、又コンベヤーローラが冠形状を有している場合、つまりローラの中心部における直径の方がローラ端部における直径より大きい場合、上記効果が見られる。軸受カップとコンベヤーローラの半径又は直径の形状とは関係なく、特に平滑化された軸受カップの表面仕上げ及び／又は軸受カップ及びコンベヤーベルトの材料の適切な選択によって磨耗現象が抑制又は解消される。鋼製の軸受カップが好ましい。ここでは、コンベヤーローラは両側の内の１つの軸受カップに支持される。
【００１１】
更に、好適な実施形態によると、軸受カップは、軸端におけるコンベヤーローラの半径より巻回方向に０．３ｍｍ〜２．５ｍｍ小さい半径を有する。
【００１２】
更に好ましい実施形態によると、軸受カップは、巻回方向に例えばＲａ３．２又はＲａ６．３の凹凸深さを有し、Ｒａ６．３の凹凸高さが特に好ましい。
【００１３】
更に好ましくは、本発明のコンベヤーシステムにおいて、コンベヤーローラは冠形状を有し、ここでコンベヤーローラの中心部におけるローラの中心直径は、ローラ端部におけるコンベヤーローラ端部の直径より１ｍｍ〜２ｍｍ、より好ましくは約１．５ｍｍ大きい。ローラ端部はコンベヤーローラの軸端を言う。冠形状とは、この場合、丸い凸状表面形状を指しこれは好ましい形状である。又、コンベヤーローラは二つの略円錐形部を有し、この形状はローラ端部より始まりコンベヤーローラの中心まで続き、略円筒部によりローラの中心部に結合する。ここで、それぞれの部分の軸方向の長さはローラの長さの３分の１に実質的に匹敵する。
【００１４】
更に好ましくは、本発明のコンベヤーシステムにおいて、コンベヤーローラを回転可能に支持する少なくとも１つの軸受は軸受カップに収容される。このような軸受はスライド可能である。又軸受は転がり軸受として形成されることが好ましく、自動調心軸受（ボールベアリング）として形成されることが更に好ましい。ここで、コンベヤーローラは両側の軸受カップに、自動調心軸受（ボールベアリング）によって支持されることが好ましい。
【００１５】
更に好適な実施形態によると、本発明のコンベヤーシステムにおいて、コンベヤーローラは、回転不能に又軸方向変位不能にコンベヤーローラに配置される軸ピンにより回転可能に支持され、コンベヤーローラの端部から軸方向に突出する軸受部を有し、この部分における転がり軸受の内部軸受リングの直径に相当するベアリング直径を有する。
【００１６】
更に好ましくは、本発明のコンベイヤーシステムの形状において、軸ピンは軸ハブ組立体によりコンベヤーローラに固定され、弾性的に変形可能な膨張部材とハブを更に備え、軸ピンは、対応するハブのハブ部の横断面に実質的に相当する横断面を有する軸ピン部を有し、ハブに形成された軸ピンがハブに対して半径方向に固定されるようにする。更に、軸ピンは軸回転係止部を有し、ハブはハブ回転係止部を有し、当該軸回転係止部とハブ回
転係止部は、ハブに形成された軸ピンが周方向の回転に抗してハブに固定されるように構成される。又、膨張部材が軸ピン上に形成され、この膨張部材は外周部を有し、膨張部材の弛緩状態の際のこの外周部はハブの内周部の直径より大きい直径を有する。更に、ハブ内に軸ピンを形成した膨張部材は、膨張部材の外周部が弛緩状態の膨張部材の位置から軸ピンの軸方向に変位するように弾性的に変形する。更に、膨張部の外周部の軸方向の変位は、膨張部の外周部の直径の縮小につながり、この膨張部の縮小された直径は膨張部と密着するハブ内周部の直径に相当する。
【００１７】
軸部とハブ部は略円筒状に構成されているのが好ましい。これは、軸ピン部とハブ部の対応する表面それぞれが軸ピンの軸に平行に延びるラインが閉じた曲線に沿って平行に変位することにより生成される表面であるからである。これにより、組立の際、軸部とハブ部を容易に相互に圧入することができる。又軸部とハブ部は、略円筒断面を有する場合は特に容易に製造することができる。円筒形状から派生する横断面は、ハブと軸ピンを相互に圧入する必要もなく更に部品を追加する必要もなく、軸回転係止部又はハブ回転係止部の機能を同時に発揮させるという効果を有する。外周部の軸方向の変位は外周直径の縮小につながり、又この変位は、軸方向成分と動径成分を有する外周直径の連動した動きを描く。この軸方向の変位の方向は、ハブに軸ピンを挿入する方向と反対になる。軸ピンの軸に対して斜角に起きるこのような動きにより、軸ピンがハブに固定される。ここで使用するシャフト、ハブ、及び軸ピンとは、トルク（回転力）を伝達する部品とトルクを伝達しない部品を示す。
【００１８】
更に好ましくは、本発明のコンベヤーシステムにおいて、膨張部とこれに対応するハブの内周部とが、径方向端末に形成される膨張部材の外周部と膨張部材の内周部における膨張部と内周部との間の摩擦係数により、又膨張部の変位領域間の変位角により、膨張部材自身の係止効果がハブ内に発揮されるように形成される。膨張部材の変位領域は、例えば指状の延伸部として形成される。この延伸部の端部により外周部が形成され、この外周部に面する指状の延伸部の両側は膨張部材の基部に取り付けられる。弾性変形の際、このような指状の延伸部が膨張部材基部の取り付け地点の領域において実質的に変形を起こし、この指状の延伸部の残りの部分が実質的に無変形状態で膨張部材の変位領域として変位角で回転する。外周部とされる指状の延伸部は、軸方向及び半径方向に連動する。自身の係止効果とは以下のことを意味する。つまり、軸ピンの導入方向と反対の軸方向に軸ピンに応力がかかると、この応力に起因する垂直力が膨張部材の外周部とハブの内周部との間に生成され、膨張部材の外周部とハブの内周部との間の摩擦係数を考慮すると、この応力は軸ピンの導入方向と反対の軸方向に軸ピンにかかる応力より大きな摩擦力となる（膨張部材のばね力により生成される摩擦力は考慮に入れない）。この構成により、軸ピンはハブ内に膨張部材と共に圧入することができ、導入方向と反対の方向にハブ内の挿入位置に固定される。更に又、軸ピンとハブの固定化は、膨張部材の外周部が膨張の際にハブの内周部表面を貫通して、自身の係止効果がインターロック係合となるように又は補強されるように、膨張部材の材料とハブの材料を選択することによって達成することができる。ここで、ハブの内周部表面への貫通を容易にするため、膨張部材の外周部を鋭角に形成することが好ましい。
【００１９】
更に好ましくは、本発明のコンベヤーシステムの実施形態において、膨張部材はディスク又は閉リングとして構成され、膨張部材は周方向に間隔をおいて溝を有し、この溝は外周部から内側に向かってほぼ放射状に形成され、この溝により周方向に相互に分離される多数の指状の延伸部の端部によって外周部が形成される。ここで、閉リングとして構成された膨張部材は、例えばワッシャーの基本的形状を有することが好ましく、外側から内側へ延びる多数の溝を有する。このような溝を有するワッシャーは弛緩した状態で実質的に平面形状を有する。又、膨張部材は弛緩した状態でもすでにプレート状の形状を有することが考えられ、この場合、プレートのエッジは実質的に円錐形を有する。このような形状
は、軸ピンを膨張部材と共にハブへ挿入することを容易にする。好ましくは、いずれの場合にも溝は外側から内側へ実質放射状に延び、又は略Ｖ字型を有する。又、溝の形状は内側へ螺旋状に延びる凹状でもよい。
【００２０】
更に好ましくは、本発明のコンベヤーシステムの実施形態において、軸ピン上の膨張部材は軸ピンの軸端に形成され、及び／又は、リベット打ち、溶接、ネジ止め、又はその他の結合方法により軸ピン上に取り付けられる。放射状配置により、軸ピンの軸に対する軸ピンとハブとの回転対称形状とは関係なく、ハブへの挿入の際、膨張部材は同形状で膨張することができる。このようにして、重複取付を防ぐことができる。
【００２１】
更に好ましくは、本発明のコンベヤーシステムの実施形態において、ハブに収容される軸ピンの軸ピン部は実質的に円筒形状を有し、軸ピン部の直径と、対応するハブの収容部の直径は、例えばＨ７−ｇ８又はＨ７−ｐ８等のように、滑り嵌め、軽い圧入、又は圧入により適合される。円筒形状は特に容易に作製でき、よって費用効率がよい。滑り嵌めにより特に容易に組立可能である。膨張部材により、軸ピンをハブ内に固定するため締まり嵌めは適さない。軽い圧入によりコストが高いインターロック係合を避けられるため、トルクが伝達されないか又はほんの僅かなトルクが伝達されるのみであれば、軽い圧入が有利である。
【００２２】
更に好ましくは、本発明のコンベヤーシステムにおいて、ハブの直径は軸ピンの全挿入長さに亘り実質的に同じとなる。本実施形態によると、軸ピン部又はハブ部は、少なくとも部分的に軸回転係止部とハブ回転係止部と同一部となる。ここで、回転係止は圧入により達成される。
【００２３】
更に好ましくは、本発明のコンベヤーシステムにおいて、軸ピンとハブとの間の回転係止部はインターロック係合部として形成される。又、好ましくは、このようなインターロック係合は、軸ピンのキー溝及びハブのキー溝に個々の部材として形成されたフェザーキーにより達成される。インターロック係合の他の形状として、例えばスプライン形状の軸ピンとハブの対応横断面の非回転対称構成も考えられる。
【００２４】
更に好ましくは、本発明のコンベヤーシステムにおいて、膨張部材は鋼製であり、又硬化した鋼ばね製である。鋼ばねの硬度により、膨張部材はハブの柔らかい材料へ容易に膨張できる。ここで、ハブは非硬化鋼製、例えばアルミニウム又はプラスティック材料製、又はこれら材料を含むものであってもよい。もし膨張部材が非硬化鋼又はその他非硬化金属であるなら、プラスティック材料又はアルミニウム等の柔らかい材料であればよい。というのは、これら膨張部材の材料も又、ハブの材料に対してそれぞれ十分な弾性と硬度を有するからである。十分な弾性と硬度を有するのであれば、他の材料でもよい。
【００２５】
更に好ましくは、本発明のコンベヤーシステムの実施形態において、ハブはアルミニウム合金からなる。アルミニウムとアルミニウム合金は、これら材料が例えば連続鋳造や押出し成形法により容易に製造できるという利点を有する。ここで、ハブはドラムシェルと共に、又その間に必要な支柱と共に一工程で作製することができる。
【００２６】
次に、本発明の実施の形態を個々に、特に好ましい実施の形態を例示する。個々に記載された実施形態の一部は本発明を実施する上で絶対的に必要な特徴を有するわけではないが、一般的に有利であると見なされる特徴を有する。このように、本発明の実施形態は、以下に記載する実施形態のあらゆる特徴を有するわけではないが、本発明の教示に該当すると考えられる。実施形態それぞれを参照しながらそこに記載される特徴を選択的に組み合わせてもよい。
【図面の簡単な説明】
【００２７】
【図１】部分断面図における、本発明のコンベヤーシステムの投影図である。
【図２】部分断面図における、図１のコンベヤーシステムの正面図である。
【図３】図２のコンベヤーシステムの拡大図である。
【図４】断面部を有する二つの軸受カップとベアリングローラを有するコンベヤーシステムの組み立て体を示し、又コンベヤーローラの横断面図である。
【図５】膨張部材を取り付けた軸ピンの投影図である。
【図６ａ】膨張部材の投影図である。
【図６ｂ】図６ａの詳細を示す。
【発明を実施するための形態】
【００２８】
図１は、部分断面図における、本発明のコンベヤーシステム１の投影図である。
【００２９】
コンベヤーシステム１はベルトコンベヤーとして形成される。図１は、コンベヤーローラ２を介して１８０°向きを変えられたコンベヤーベルト５の回帰部を示す。このように、コンベヤーベルト５は約１８０°の巻回角度でコンベヤーローラ２に接する。
【００３０】
コンベヤーローラ２は二つの軸受カップ６の間に回転可能に支持される。軸受カップ６はフレームに回転不能に固定される。稼動の際、コンベヤーローラ２はこうして軸受カップ６に対して、又はコンベヤーシステム１のフレームに対して回転する。
【００３１】
コンベヤーローラ２を支持するため、ベアリング６１が固定軸受カップ６それぞれに設けられ、転がり軸受けとして、特に本実施形態では自動調整式ボールベアリングとして構成される。ここで、コンベヤーローラ２は各ベアリング６１における各軸ピン８１によって支持される。
【００３２】
図２は部分断面図における、図１のコンベヤーシステム１の正面図であり、図３は図２のコンベヤーシステム１の拡大図である。これら各図はいずれもコンベヤーシステム１の同じ好ましい実施形態を示し、図中各部品には同じ符号が用いられる。
【００３３】
図３は、コンベヤーシステム１の部分横断面図であり軸ピン８１を示す。軸ピン８１はハブ８２のハブ収容部８２１に収容される軸ピン部８１２を有することがわかる。図示の好ましい実施形態において、軸ピン部８１２は実質的に円筒体として形成され、やはり円筒形孔として形成されるハブ８２のハブ収容部８２１に挿入される。ここで、ハブ収容部８２１と軸ピン部８１２の許容範囲は、軽い圧入の場合として測られる。軸ピン８１をハブ８２内に安定して嵌め込むため、膨張部材８３を軸ピン８１の軸端８１１に備え、これにより軸ピン８１とコンベヤーローラ２との間の解除可能結合を確保する。
【００３４】
図４は、コンベヤーローラ２の横断面を示す。
【００３５】
図４は、断面部を有する二つの軸受カップ６とベアリングローラ２を有するコンベヤーシステム１の組み立て体を示し、又コンベヤーローラ２の横断面図である。
【００３６】
図４に示すように、ハブ８２、コンベヤーローラ２のコンベヤーローラシェル、及びハブ８２とコンベヤーローラシェルとの間の結合ウェブは一体に形成されている。このようなコンベヤーローラ２の製造は、例えば連続鋳造法によって行われる。コンベヤーローラ２の好ましい材料はアルミニウム又はアルミニウム合金である。コンベヤーローラ２は部品数点による組み立て体等他の形状で製造してもよい。連続鋳造法により製造されたコンベヤーローラ２はコンベヤーローラ２全体の長さに亘って実質的に同じ横断面を有する。コンベヤーローラ２の好ましい形状である冠形状は、加工工程においてコンベヤーローラ
２のシェル表面を折り曲げることにより作成されることが好ましい。
【００３７】
コンベヤーローラ２の冠形状は、コンベヤーローラ２に向きを変えられ支持されたコンベヤーベルトが中央に載置されコンベヤーローラから外れないと共に軸方向中央からも外れないという効果を有する。コンベヤーローラ２を回転可能に支持する二つの軸受カップ６を有する実施形態において、コンベヤーローラ２の冠形状は更に、コンベヤーベルト５のエッジ部に応力が実質的にかからないという効果を有する。
【００３８】
図３に示すように、軸受カップ６はコンベヤーローラ２の隣接するローラ端部４よりわずかに小さい直径を有する。この構成により、コンベヤーローラ２の冠形状に加えて更に、コンベヤーベルト５と軸受カップ６との間の摩擦が軽減されるという効果が発揮される。
【００３９】
特に好ましい実施形態によると、少なくともコンベヤーベルト５の巻回角度における軸受カップ６は滑らかな表面を有し、いかなる好ましくない摩擦も更に軽減されるように構成されている。軸受カップ６が少なくともこの領域に備えられている凹凸高さはＲａ６．３に設定されるのが好ましい。
【００４０】
又、図３に示すように、軸ピン８１は膨張部材８３の反対側に軸受部８１３を備え、これも又円筒形状を有しベアリング６１の内部リング６２に適合する直径を有する。ここで、軸受部８１３は、コンベヤーローラ２の片方の固定ベアリングとして、又コンベヤーローラ２のもう片方の弛緩ベアリングとして形成されるのが好ましい。
【００４１】
図５は膨張部材８３を取り付けた軸ピン８１の投影図である。
【００４２】
同図より明らかなように、軸回転係止部８１４は軸ピン８１上に設けられ、好ましい実施形態によると、フェザーキーが挿入される軸ピン８１内のキー溝により形成される。本実施形態によると、ベアリング８１３と軸部８１５との間により大きい直径を有するカラー（環状部品）が設けられ両方向への動きを止める役割を果たしている。
【００４３】
軸ピン８１とハブ８２との間の圧入を達成するためにフェザーキーに代わるものであってもよい。ハブ８２と軸ピン８１との間の回転係止を確保するものであれば他の実施形態でもよい。特に、非駆動コンベヤーローラ２又は小さいトルクを伝達するだけでよいコンベヤーローラの場合、軽い圧入で十分であり、これは軸ピン８１とアルミニウム合金よりなるハブ８２との間で達成される。
【００４４】
膨張部材８３は軸ピン８１の軸端８１１に形成される。本実施形態において、膨張部材８３は軸ピン８１にリベット止めされる。膨張部材８３を軸ピン上に取り付ける方法は、ネジ止め、溶接等でもよい。
【００４５】
図６ａは図５にも示す膨張部材８３の断面投影図である。
【００４６】
図６ａに示すように、膨張部材８３の基本形状は実質的にプレートの形状に相当し、プレートのエッジが円錐形状を有する。膨張部材８３の中心に穴が設けられ、リベット又はネジをこの穴に通して取り付けが達成される。
【００４７】
図示の実施形態において、膨張部材８３は穴の周囲の閉リングとして形成され、この穴から指状の延伸部３３が半径方向外側へ延びている。言い換えれば、膨張部８３の外周部８３１から溝８３２が内側へ向かって延び、外周部を再分割している。溝８３２は図示の実施形態に示すようにＶ字型形状を有し、内側に向かって実質的に放射状に延びる。又、
他の実施形態として、リングが実質的にジグザグ形状を有するように溝が交互に又は追加されて内側から外側へ延びていてもよい。更にリングは閉リングとしてではなく、一箇所で完全に遮断される二つの開端部を有するリングとして構成されてもよい。
【００４８】
又、図示の実施形態において、溝８３２は外周部８３１から実質的に延び、プレートエッジと平面状プレートの表面との間に内側に向かって折り畳まれる。又、溝は更に膨張部材８３の中心に延びてもよいし、短くしてもよい。
【００４９】
図６ｂは図６ａの詳細を示す。
【００５０】
同図において、指状延伸部８３３を破線で示す。ここで
指は膨張部材８３の平面形状に弛緩状態（仮想平面形状）で形成されていると思われる。この弛緩状態から、指状延伸部８３３は斜線領域として図６ｂに示すように、応力のかかった位置へ角度aだけ変位することができる。板状膨張部材８３の実施形態において、弛
緩位置は図示の２地点の間であると思われる。いずれの場合においても、弛緩状態にある膨張部材８３はハブ８２の内周部の直径に相当する直径Ｄｌを有することがわかる。このような直径Ｄｌは、例えば３１．３ｍｍの範囲である。更に、弛緩状態にある膨張部材８３は直径Ｄｌより大きい直径を有する。このような直径ＤＡは例えば３１．７ｍｍの範囲である。
【００５１】
軸ピン８１がハブ８２に挿入されると、指状延伸部８３３は変位しハブ８２の内周部と密着する。膨張部材８３の外周部８３１とハブ８２の内周部との間の摩擦より摩擦力が生じ、もし軸ピン８１がハブ８２から引き抜かれると、指状延伸部８３３は弛緩位置へ押圧される。この摩擦力の生成と同時に、外周部８３１とハブ８２の内周部との間の圧力が増す。というのは、弛緩位置への逆変位は直径の増加と同時に起こるからである。この構成により、外周部８３１とハブ８２の内周部との間の摩擦力は軸ピン８１にかかる応力より常に大きいことが好ましい。
【００５２】
以上の効果は外周部８３１に鋭いエッジを付与することにより補強され、特にもし膨張部材８３の材料がハブ８２の材料より硬い場合、外周部８３１はハブ８２の内周部を貫通する。これにより、摩擦による係合に加えて、インターロック係合が達成され、軸ピン８１のハブ８２に対する強固な固着を達成することができる。
【符号の説明】
【００５３】
１     コンベヤーシステム
２     コンベヤーローラ
３     ローラ中央部
４     ローラ端部
５     コンベヤーベルト
６     軸受カップ
６１   ベアリング
６２   ベアリング内部リング
７     隙間
８     シャフトハブ組立体
８１   軸ピン
８１１ 軸端
８１２ 軸ピン部（８１２）（ハブ内に収容）
８１３ 軸受部
８１４ 軸回転係止部
８１５ 軸部
８２   ハブ
８２１ ハブ収容部
８３   膨張部材
８３１ 外周部
８３２ 溝
８３３ 指状延伸部
ＤＡ   弛緩状態における膨張部材の外周直径
Ｄｌ   膨張部材の領域におけるハブの内周直径
α     膨張部材間の変位角
【図１】
2010530341.tif 000003
【図２】
2010530341.tif 000004
【図３】
2010530341.tif 000005
【図４】
2010530341.tif 000006
【図５】
2010530341.tif 000007
【図６ａ】
2010530341.tif 000008
【図６ｂ】
2010530341.tif 000009
【国際調査報告】
2010530341.tif 000010
2010530341.tif 000011
2010530341.tif 000012
2010530341.tif 000013